(57)【要約】  【課題】  多室換気機能付きの浴室乾燥機において、建物の換気が停止する状態に陥ることを避け、利便性の高い多室換気機能付き浴室乾燥機を提供する。  【解決手段】  浴室内および他室からの空気を排気する換気ファンと、浴室内の空気を吸込み、再び浴室内へ吹出す循環ファンと、前記換気ファンと前記循環ファンとの動作を制御する制御部と、を備えた多室換気機能付き浴室乾燥機において、前記制御部は、前記換気ファンと前記循環ファンとの両方を駆動した乾燥運転を実行可能であり、該乾燥運転時に前記循環ファンの回転異常を検出すると、該循環ファンを停止して前記換気ファンの駆動を継続する。【選択図】  図４
2016174744.tif 000002
【特許請求の範囲】
【請求項１】
浴室内および他室からの空気を排気する換気ファンと、
浴室内の空気を吸込み、再び浴室内へ吹出す循環ファンと、
前記換気ファンと前記循環ファンとの動作を制御する制御部と、
を備えた多室換気機能付き浴室乾燥機において、
前記制御部は、前記換気ファンと前記循環ファンとの両方を駆動した乾燥運転を実行可能であり、該乾燥運転時に前記循環ファンの回転異常を検出すると、該循環ファンを停止して前記換気ファンの駆動を継続する多室換気機能付き浴室乾燥機。
【請求項２】
前記循環ファンによって浴室内へ吹出される空気を加熱するヒータを更に備え、前記制御部は前記乾燥運転時には前記ヒータを駆動して浴室内に吹出される空気を加熱すると共に、
前記制御部は、前記ヒータの駆動異常を検出すると該ヒータの駆動を停止して前記換気ファンおよび前記循環ファンの駆動を継続する、請求項１に記載の多室換気機能付き浴室乾燥機。
【請求項３】
前記制御部は、前記循環ファンを停止して前記換気ファンの駆動を継続する際には、該換気ファンの回転数を下げずに暫定乾燥運転を継続し、該暫定乾燥運転終了後には前記換気ファンの回転数を下げた常時換気モード運転を実行する請求項１または請求項２に記載の多室換気機能付き浴室乾燥機。
【請求項４】
前記制御部は、前記常時換気モード運転において他室からの換気操作を受け付けると前記換気ファンの回転数を上昇させる請求項３に記載の多室換気機能付き浴室乾燥機。
【請求項５】
前記制御部は、前記乾燥運転時における前記循環ファンの異常を記憶し、前記暫定乾燥運転の継続時には警告表示を実行すると共に、前記暫定乾燥運転の終了時には警告表示を停止し、その後に前記乾燥運転の開始指示があると警告表示を実行する、請求項３又は請求項４に記載の多室換気機能付き浴室乾燥機。
【発明の詳細な説明】
【技術分野】
【０００１】
本発明は、換気ファンと循環ファンとを備え、浴室に取り付けられて浴室内の乾燥、および、浴室とそれ以外のトイレなどの換気を行う多室換気機能付き浴室乾燥機に関わる。
【背景技術】
【０００２】
従来から、浴室内や浴室内に吊り下げられた洗濯物を乾かすために、浴室内の空気を吸込んでヒータによって加熱して吹出す浴室乾燥機が知られている。この浴室乾燥機にはファンが内蔵されており、このファンを駆動して浴室内に加熱した温風を吹出し可能であると共に、ファンによって吸込んだ浴室内の空気を建物外へと排気し、浴室の換気も行うことが可能となっている。
【０００３】
近年、シックハウス対策として建物内の換気が重要視されてきており、そのため浴室乾燥機による空気の吸込み位置としては浴室以外の洗面所やトイレといった複数のスペースから吸気する「多室換気機能付き浴室乾燥機」の需要が高まってきている。換気仕様には浴室および洗面所の２空間を換気する２室換気仕様と、浴室、洗面所、およびトイレの３空間を換気する３室換気仕様などがある。このような多室換気機能付き浴室乾燥機においては、浴室内の空気を吸込み浴室内に送り出す循環ファンと、浴室内の空気、あるいは洗面所およびトイレの空気を吸込み建物外に排気する換気ファンとを独立して備えていることが多い（特許文献１参照）。
【０００４】
この循環ファンと換気ファンとを独立して備えた多室換気機能付き浴室乾燥機においては、乾燥運転を行う時には、循環ファンと換気ファンとの両方を駆動し、浴室内への空気吹出しを行いながら、浴室内の空気の一部を排気していた。
【先行技術文献】
【特許文献】
【０００５】
【特許文献１】特開２００２−６１９０７号公報
【発明の概要】
【発明が解決しようとする課題】
【０００６】
従来、循環ファンと換気ファンとを備えた多室換気機能付き浴室乾燥機において、循環ファンに異常が生じた場合、その異常が換気機能に影響を及ぼさない事象であっても全機能が停止し、浴室やトイレは勿論、建物の換気ができなくなってしまっていた。特に、循環ファンと換気ファンとの両方を駆動した乾燥運転において、循環ファンが何らかの要因により回転が止まってしまう異常においても、換気ファンも停止して全機能を停止させてしまっていたため、建物の換気が停止してしまうという問題もあった。
【０００７】
本発明は、上記問題を解決するためになされたもので、本発明の課題は、多室換気機能付きの浴室乾燥機において、建物からの換気停止状態に陥ることを避け、利便性の高い多室換気機能付き浴室乾燥機を提供することを目的とするものである。
【課題を解決するための手段】
【０００８】
上記目的を達成するために本発明に係わる多室換気機能付き浴室乾燥機は、浴室内および他室からの空気を排気する換気ファンと、浴室内の空気を吸込み、再び浴室内へ吹出す循環ファンと、前記換気ファンと前記循環ファンとの動作を制御する制御部と、を備えた多室換気機能付き浴室乾燥機において、前記制御部は、前記換気ファンと前記循環ファンとの両方を駆動した乾燥運転を実行可能であり、該乾燥運転時に前記循環ファンの回転異常を検出すると、該循環ファンを停止して前記換気ファンの駆動を継続することを特徴とする。
【０００９】
このように構成された多室換気機能付き浴室乾燥機においては、換気ファンと循環ファンとの両方を駆動している乾燥運転において、循環ファンに異常が発生しても換気ファンの運転を継続するため、浴室内と他室からの空気の排気を継続でき、建築物に要求される換気機能に応えることが可能であり、利便性の高い多室換気機能付き浴室乾燥機を提供することができる。
【００１０】
また、本発明において好ましくは、前記循環ファンによって浴室内へ吹出される空気を加熱するヒータを更に備え、前記制御部は前記乾燥運転時には前記ヒータを駆動して浴室内に吹出される空気を加熱すると共に、前記制御部は、前記ヒータの駆動異常を検出すると該ヒータの駆動を停止して前記換気ファンおよび前記循環ファンの駆動を継続することを特徴とする。
従って、乾燥運転において、ヒータの駆動に異常が発生しても換気ファンおよび循環ファンの運転を継続するため、ヒータによる空気の加熱が無くなるため乾燥性能としては悪化するものの、浴室内からの排気と浴室内への空気の吹出しが継続されることによる浴室内や浴室内に吊り下げられた洗濯物などの乾燥を促すことが可能である。
【００１１】
また、本発明において好ましくは、前記制御部は、前記循環ファンを停止して前記換気ファンの駆動を継続する際には、該換気ファンの回転数を下げずに暫定乾燥運転を継続し、該暫定乾燥運転終了後には前記換気ファンの回転数を下げた常時換気モード運転を実行することを特徴とする。
従って、常時換気モード運転時には、換気ファンの回転数を下げて静かな状態で建築物に要求される換気機能に応えることが可能であり、暫定乾燥運転時では循環ファンによる空気吹出しが無くなるため乾燥性能としては正常時よりも低下するものの、換気ファンの回転数は下げずに浴室内からの排気が継続されることにより、浴室内や浴室内に吊り下げられた洗濯物などの乾燥を促すことが可能である。
【００１２】
また、本発明において好ましくは、前記制御部は、前記常時換気モード運転において他室からの換気操作を受け付けると前記換気ファンの回転数を上昇させることを特徴とする。
従って、他室からの換気が指示されると排気空気量を増やして他室の換気を促進することができる。
【００１３】
また、本発明において好ましくは、前記制御部は、前記乾燥運転時における前記循環ファンの異常を記憶し、前記暫定乾燥運転の継続時には警告表示を実行すると共に、前記暫定乾燥運転の終了時には警告表示を停止し、その後に前記乾燥運転の開始指示があると警告表示を実行することを特徴とする。
従って、暫定乾燥運転が終了して常時換気モード運転になると表示が停止されるため、常時換気モード運転時にユーザーに不安を与えることが防止できると共に、その後に乾燥運転の指示があると警告表示が実行されるため、ユーザーは正常な乾燥運転ができないことを認識できて修理などの必要な措置を忘れずに行うことができる。
【発明の効果】
【００１４】
本発明の多室換気機能付き浴室乾燥機によれば、換気ファンと循環ファンとの両方を駆動している乾燥運転において、循環ファンに異常が発生しても換気ファンの運転を継続するため、浴室内と他室からの空気の排気を継続でき、建築物に要求される換気機能に応えることが可能であり、利便性の高い多室換気機能付き浴室乾燥機を提供することができる。
【図面の簡単な説明】
【００１５】
【図１】本発明の浴室乾燥機の設置状態の説明図。
【図２】本発明の浴室乾燥機の概略構成図。
【図３】本発明の浴室乾燥機における制御信号の関係を示すブロック図。
【図４】本発明の浴室乾燥機における制御フローチャート。
【図５】図４における換気異常判定処理のフローチャート。
【図６】図４における循環異常判定処理のフローチャート。
【図７】図４における常時換気モード運転処理のフローチャート。
【発明を実施するための形態】
【００１６】
以下、本発明の実施形態に係わる多室換気機能付き浴室乾燥機(以下、単に浴室乾燥機と呼ぶ)について図面に基づいて説明する。図１は、本発明の浴室乾燥機の設置状態の説明図である。この図１に示すように、浴室乾燥機１は浴室３の天井面に設置され、浴室３内の空気を吸込んで排気ダクト５を通じて建屋外へと排気可能であり、また、浴室３内の空気を吸込んで再び浴室３内へ吹出すことが可能である。更に、浴室乾燥機１はトイレ７と吸気ダクト９によって連通しており、トイレ７内の空気を吸込んで排気ダクト５を通じて排気可能である。この浴室乾燥機１の動作は浴室３に隣接する洗面所１１に設けられた操作部１３によって操作することができる。
なお、この図１では洗面所１１と浴室乾燥機１とは連通していないが、トイレ７と同様に吸気ダクトによって連通させて、洗面所１１内の空気を排気させることで洗面所１１の換気を実施させることも可能である。
【００１７】
次に、浴室乾燥機１の内部構造について図２に基づいて説明する。図２は本発明の浴室乾燥機１の概略構成図である。この図２に示すように浴室乾燥機１は、浴室３内に向けて開口している吸気口１５から空気を吸込んで排気ダクト５へと排気する換気ファン１７と、同じく吸気口１５から空気を吸込こみ、浴室３内に開口した吹出口２１から吹出すための循環ファン１９とを内蔵している。なお、換気ファン１７と循環ファン１９とは、換気ファンモータ１７ａと循環ファンモータ１９ａと、これら換気ファンモータ１７ａと循環ファンモータ１９ａによって回転される換気インペラ１７ｂと循環インペラ１９ｂとをそれぞれ備えており、換気ファン１７と循環ファン１９とはそれぞれが独立して駆動することが可能である。
【００１８】
吸気口１５から換気ファン１７へと繋がる排気風路２３には排気風路２３を閉塞状態から開放状態との間で変更可能なダンパー２５が設けられており、このダンパー２５によって排気風路２３を閉塞状態に近づけることによって、換気ファン１７が駆動中であっても浴室３からの空気の吸込みを抑制又は停止させることができ、換気ファン１７を駆動してトイレ７からの排気を実行中においても浴室３内からの排気を抑制又は停止して、浴室３おける入浴者が換気による寒さを感じないようにすることができる。
【００１９】
また、吸気口１５から循環ファン１９を経て吹出口２１へと至る循環風路２７において、循環ファン１９よりも下流側であって吹出口２１の近傍にはヒータ２９が設けられている。このヒータ２９は電気ヒータであり、通電によって発熱することで吹出口２１から浴室３内へと吹出さされる空気を加熱することができる。このように吹出口２１から吹出される空気を加熱することで、浴室３内の暖房のほか、浴室３内の乾燥および浴室３内に吊り下げされた洗濯物（図示せず）の乾燥を行うことが可能である。
なお、上記した実施形態においては、吸気口１５は排気風路２３と循環風路２７とで共通であるが、吸気口１５は独立して設けることも可能である。
【００２０】
次に、図２に示す浴室乾燥機１の動作を制御するための構成について図３に基づいて説明する。図３は、本発明の浴室乾燥機における制御信号の関係を示すブロック図である。この図３に示すように、マイコンによって構成された制御部３１対しては、換気ファン１７に内蔵されている換気ファン回転数センサ１７ｃによって換気ファン１７の回転数信号が入力される。同様に、循環ファン１９に内蔵されている循環ファン回転数センサ１９ｃによって循環ファン１９の回転数信号が入力される。これら換気ファン回転数センサ１７ｃおよび循環ファン回転数センサ１９ｃはホールＩＣを用いて換気ファンモータ１７ａ、循環ファンモータ１９ａの回転に伴うパルス状の信号を出力するものであり、制御部３１ではそのパルス状の信号から単位時間あたりの回転数、すなわち回転速度を演算することで換気ファン１７および循環ファン１９の回転状態を検出することができる。
【００２１】
なお、換気ファン回転数センサ１７ｃおよび循環ファン回転数センサ１９ｃとしては、ホールＩＣのような素子を追加することに代えて、換気ファンモータ１７ａ、循環ファンモータ１９ａへの通電後の電流波形を出力するようにしてもよい。この場合には、制御部３１では電流波形の変動周波数や電流値によってモータの回転状態を検出することが可能である。
【００２２】
また、制御部３１へは、ヒータ２９の近傍に設けられ、このヒータによって加熱されて吹出口２１から吹出される空気の温度を測定するためのサーミスタ３３からの信号が入力される。更に、操作部１３に対する使用者の指示信号が入力される。
制御部３１では、操作部１３による使用者からの指示に基づいて、換気ファンモータ１７ａと循環ファンモータ１９ａの起動・停止を制御するとともに、ヒータリレー２９ａの入り・切り、ダンパー２５の位置を制御することで、浴室乾燥機１の動作を制御する。制御部３１は操作部１３に設けられたＬＥＤやＬＣＤによる表示部１３ａの駆動を制御して、浴室乾燥機１の動作状態を表示する。
【００２３】
本発明の実施形態に係わる浴室乾燥機１の動作制御について説明する。浴室乾燥機１は、電源が投入されると換気ファン１７のみを駆動し、循環ファン１９およびヒータ２９を停止させた常時換気モード運転を実行する。そして、使用者が操作部１３を操作して乾燥運転を設定すると、換気ファン１７による吸込み風量を増やし、更に、循環ファン１９およびヒータ２９を駆動した乾燥運転を実行する。
【００２４】
また、常時換気モード運転において使用者が浴室３の暖房運転を指示すると、ダンパー２５によって排気風路２３を閉塞し、この状態で循環ファン１９とヒータ２９を駆動して浴室３内を暖める暖房運転を実行する。また、常時換気モード運転において使用者が浴室３の涼風運転を指示すると、ヒータ２９は駆動せずに循環ファン１９を駆動し、浴室３内に向けて加熱されていない空気を吹出す涼風運転を実行する。この涼風運転では乾燥運転におけるヒータ２９が停止した運転と略等しく、換気ファン１７による吸込み風量は常時換気運転時よりも増やすことが好ましい。
【００２５】
次に、本実施形態に係わる浴室乾燥機１の制御部３１に応じて実行される動作制御について、常時換気モード運転と、乾燥運転について図面に基づいて詳しく説明する。図４は本発明の浴室乾燥機における制御フローチャートであり、図５は図４における換気異常判定処理のフローチャート、図６は図４における循環異常判定処理のフローチャート、図７は図４における常時換気モード運転処理のフローチャートである。
【００２６】
浴室乾燥機１において、電源が投入されて制御部３１による制御動作がスタートすると（Ｓ１００）、換気系異常フラグの状態がＯＮであるか否かを判定する（Ｓ１０２）。もし換気系異常フラグがＯＮであると（Ｓ１０２ＹＥＳ）表示部１３ａにエラー表示を実行し（Ｓ１０４）、浴室乾燥機１の運転を禁止した異常時待機モードとなって終了する（Ｓ１０６）。なお、換気系異常フラグは浴室乾燥機１が工場出荷時にはＯＦＦとなっており、換気ファン１７の駆動中に異常が発生するとＯＮに設定されるものである。その設定制御については後述する。
【００２７】
一方で、Ｓ１０２にて換気系異常フラグがＯＮではないと判定されると（Ｓ１０２ＮＯ）、使用者による乾燥運転の開始指示があったかどうかを判定し（Ｓ１０８）、乾燥運転の指示がなければ（Ｓ１０８ＮＯ）常時換気モード運転を開始する（Ｓ１１０）。なお。この常時換気モード運転における制御については後述する。
【００２８】
Ｓ１０８にて乾燥指示があったと判定すると（Ｓ１０８ＹＥＳ）、循環系異常フラグの状態がＯＮであるか否かを判定する（Ｓ１１２）。循環系異常フラグがＯＮではないと（Ｓ１１２ＮＯ）正常時としての乾燥運転が開始される。具体的には、換気ファン１７および循環ファン１９の両方を高回転で駆動し、また、ヒータ２９への通電を開始し、表示部１３ａには乾燥運転である旨の表示を行う（Ｓ１１４）
【００２９】
一方、Ｓ１１２にて循環系異常フラグがＯＮであると判定すると（Ｓ１１２ＹＥＳ）、このフラグの種別を判別し（Ｓ１１６）、循環ファン１９の異常であると換気ファン１７のみを高回転で駆動し（Ｓ１１８）、ヒータ２９の異常であると換気ファン１７および循環ファン１９とを高回転で駆動する（Ｓ１１９）。そして、循環ファン１９やヒータ２９が駆動されていない暫定乾燥運転である警告表示を表示部１３ａにて行う（Ｓ１２０）。
なお、循環系異常フラグは浴室乾燥機１が工場出荷時にはＯＦＦとなっており、循環ファン１９の駆動中に異常が発生するとＯＮに設定されるものである。その設定制御については後述する。
【００３０】
Ｓ１１４にて通常の乾燥運転が開始されるか、又は、Ｓ１１８〜Ｓ１２０にて暫定乾燥運転が開始されると、Ｓ１２２に進み換気系異常判定が実行される。この換気系異常判定について図５に基づいて説明する。
【００３１】
換気系異常判定においては、換気ファン１７の回転数が異常に低回転になっていないかどうかを判定する。具体的には、高回転として１０００ｒｐｍ程度となるように駆動されている換気ファンの回転数が１００ｒｐｍ以下まで低下してしまっていないかどうかが判定される（Ｓ２００）。換気ファン１７の回転数が低下していないと（Ｓ２００ＮＯ、この換気系異常判定処理を終了して図４の制御フローに復帰する。
【００３２】
一方、Ｓ２００にて換気ファン１７の回転数が１００ｒｐｍ以下であると判定されると（Ｓ２００ＹＥＳ）その状態が所定時間継続しているかどうかをＳ２０２にて判定し、所定時間として設定されている２秒継続したと判定されると（Ｓ２０２ＹＥＳ）、換気ファン１７にロック等の異常が発生していると判断できるため換気系異常フラグをＯＮに設定し（Ｓ２０４）、図４の制御フローに復帰する。なお、換気系異常フラグのＯＮ情報は、図３に示す制御部３１における不揮発性メモリ３５に記憶させ、浴室乾燥機１の電源をオフしたとしても記憶が維持できるようになっている。
【００３３】
再び図４に戻り、Ｓ１２２の換気系異常判定後の制御フローについて説明する。換気系異常判定が行われると、その換気系異常フラグがＯＮになっているか否かが判定される（Ｓ１２４）。そして、換気系異常フラグがＯＮであった場合には（Ｓ１２４ＹＥＳ）、換気ファン１７にロック等の異常が発生していると考えられるため、換気ファン１７を停止すると共に、循環ファン１９も停止してヒータ２９への通電も停止し（Ｓ１２６）、その後は上述したＳ１０４とＳ１０６、Ｓ１０８と同様に、表示部１３ａにエラー表示を実行し（Ｓ１２８）、浴室乾燥機１の運転を禁止した異常時待機モードとなって終了する（Ｓ１３０）。
【００３４】
Ｓ１２４にて換気系異常フラグがＯＮではないと判定されると（Ｓ１２４ＮＯ）、循環系異常判定が実行される（Ｓ１３２）。この循環系異常判定について図６に基づいて説明する。循環系異常判定においては、循環ファン１９の回転数が異常に低回転になっていないかどうかを判定する。具体的には、高回転として１０００ｒｐｍ程度となるように駆動されている循環ファン１９の回転数が１００ｒｐｍ以下まで低下してしまっていないかどうかが判定される（Ｓ３００）。循環ファン１９の回転数が１００ｒｐｍ以下であると判定されると（Ｓ３００ＹＥＳ）その状態が所定時間継続しているかどうかをＳ３０２にて判定し、所定時間として設定されている２秒継続したと判定されると（Ｓ３０２ＹＥＳ）、循環ファン１９にロック等の異常が発生していると判断できるため循環ファン異常フラグをＯＮに設定し（Ｓ３０４）、図４の制御フローに復帰する。
【００３５】
一方、循環ファン１９の回転数が低下していないと（Ｓ３００ＮＯ）、ヒータ２９への通電をＯＮ／ＯＦＦするヒータリレー２９ａに異常が発生しているかどうかを判断する（Ｓ３０６）。このヒータリレー２９ａの異常としては、接点のオープン又はショート故障を検出するものであり、制御部３１によるヒータリレー２９ａを閉じる指令をしているのにサーミスタ３３の検出温度が上昇しない場合にオープン故障と判断し、制御部３１によるヒータリレー２９ａを閉じる指令をしていないのにサーミスタ３３の検出温度が上昇し続ける場合にショート故障と判断することができる。このオープン故障、ショート故障のいずれかが発生していると判断すると（３０６ＹＥＳ）、ヒータ異常フラグをＯＮにする（Ｓ３０８）。
【００３６】
一方でヒータリレー２９ａに異常がないと判断すると（Ｓ３０６ＮＯ）、サーミスタ３３の異常を判定する（Ｓ３１０）。このサーミスタ３３の異常としても素子のオープン又はショート故障を判断するものであり、サーミスタ３３の出力における抵抗値が無限大と等しければオープン故障と、抵抗値がゼロと等しければショート故障と判断することができる。このオープン故障、ショート故障のいずれかが発生していると判断すると（３１０ＹＥＳ）、ヒータ異常フラグをＯＮにする（Ｓ３０８）。
なお、循環ファン異常フラグおよびヒータ異常フラグのＯＮ情報は、図３に示す制御部３１における不揮発性メモリ３５に記憶させ、浴室乾燥機１の電源をオフしたとしても記憶が維持できるようになっている。
【００３７】
再び図４に戻り、Ｓ１３２の循環系異常判定後の制御フローについて説明する。Ｓ１３４において循環系異常フラグがＯＮか否かを判定する。そして循環系異常フラグがＯＮ
であると判断すると（Ｓ１３４ＹＥＳ）、このフラグの種別を判別し（Ｓ１３６）、循環ファン１９の異常であると循環ファン１９駆動を停止すると共にヒータ２９への通電制御も停止する（Ｓ１３８）。ヒータ２９の異常であるとヒータ２９への通電制御を停止する（Ｓ１４０）。そして、循環ファン１９やヒータ２９が駆動されていない暫定乾燥運転である警告表示を表示部１３ａにて行う（Ｓ１４２）。
【００３８】
循環系異常フラグがＯＮではないと判定すると（Ｓ１３４ＮＯ）、浴室乾燥機１は通常の乾燥運転として設定されている運転時間が経過したか否かを判定する（Ｓ１４４）。この運転時間は、Ｓ１０８での乾燥運転開始時に使用者によって設定された時間である。この運転時間が経過していないと（Ｓ１４４ＮＯ）、乾燥運転の停止のスイッチが操作されたか否かを判定し（Ｓ１４６）、停止操作されていないと（Ｓ１４６ＮＯ）、Ｓ１２２に戻り、通常の乾燥運転を継続する。
【００３９】
一方、運転時間が経過したと判定されるか（Ｓ１４４ＹＥＳ）、停止スイッチが操作されたと判定すると（Ｓ１４６ＹＥＳ）、換気ファン１７、循環ファン１９を停止すると共に、ヒータ２９への通電制御を停止し、更には警告表示若しくは乾燥運転表示をＯＦＦする（Ｓ１４８）。その後にＳ１１０と同じ常時換気モード運転を実行する。
【００４０】
次に、図４におけるＳ１１０の常時換気モード運転について図７に基づいて説明する。この常時換気モード運転では換気系異常判定の処理を実行する（Ｓ４００）。この換気系異常判定処理は図５に基づいて既に説明している処理を同じであるため説明を省略する。そして、換気系異常フラグがＯＮになっているか否かが判定される（Ｓ４０２）。そして、換気系異常フラグがＯＮであった場合には、換気ファン１７にロック等の異常が発生していると考えられるため、換気ファン１７を停止すると共に、表示部１３ａにエラー表示を実行し（Ｓ４０４）、浴室乾燥機１の運転を禁止した異常時待機モードとなって終了する。
【００４１】
一方、換気異常フラグがＯＮでないと判定すると（Ｓ４０２ＮＯ）、トイレからの換気指示の有無を判定する（Ｓ４０６）。トイレからの換気指示が無いと判定すると（Ｓ４０６ＮＯ）、換気ファン１７を低回転で駆動開始すると共に、換気運転中であることを表示部１３ａにて表示する（Ｓ４０８）。一方、トイレからの換気指示があると判定すると（Ｓ４０６ＹＥＳ）、換気ファン１７を高回転で駆動開始すると共に、換気運転中であることを表示部１３ａにて表示する（Ｓ４１０）。そして、図４の制御フローに復帰する。
なお、換気ファン１７の駆動回転数として、高回転とは乾燥運転時と同程度の排気風量が得られるように例えば１０００ｒｐｍ程度であり、低回転とは、回転数としては高回転時の半分程度の５００ｒｐｍ程度であって、異常な低回転を判定する１００ｒｐｍと比べて略５倍程度の回転数である。
【００４２】
以上の本実施形態に関わる浴室乾燥機１においては、使用者による操作部１３に対する特段の操作がない場合には、浴室３およびトイレ７からの空気を換気ファン１７によって吸気し、その吸気した空気を排気ダクト５によって建物外に排気する常時換気モード運転を実行する。その常時換気モード運転中に使用者が操作部１３を操作して乾燥運転が指示されると、循環ファン１９も駆動開始すると共にヒータ２９への通電も開始され、浴室３内から吸込んだ空気を加熱して浴室３へ吹出すことで浴室３内や浴室３に吊り下げられた洗濯物の乾燥を促す乾燥運転が実行可能である。
【００４３】
そして、この浴室乾燥機１における乾燥運転においては、換気ファン１７と循環ファン１９との両方が駆動されることになるが、この乾燥運転時に循環ファン１９がロックされて回転数が低下するなどの回転異常が発生したことを図６に示す循環系異常判定によって検出し、循環ファン１９の回転異常が発生していると循環ファン１９は駆動停止するが、換気ファン１７の駆動を継続する暫定乾燥運転を行うことで、浴室３とトイレ７からの空気の排気を継続でき、循環ファン１９の異常後でも建築物に要求される換気機能に応えることが可能となる。また、暫定乾燥運転では循環ファン１９による空気吹出しが無くなるため、乾燥性能としては通常の乾燥運転時よりも悪化するものの、換気ファン１７の駆動継続による浴室３内からの排気が継続されることにより、浴室３や浴室３に吊り下げられた洗濯物などの乾燥を促すことが可能である。
【００４４】
また、図６における循環系異常判定として、循環ファン１９の回転異常だけでなく、ヒータ２９の駆動に関わるヒータリレー２９ａやサーミスタ３３の異常も判定し、ヒータ２９の異常であれば、ヒータ２９の駆動を停止するものの、換気ファン１７および循環ファン１９の駆動を継続することで、乾燥運転において、ヒータ２９の駆動に異常が発生しても循環ファン１９の駆動が可能であれば、換気ファン１７と循環ファン１９の運転を継続するため、空気の加熱が実行できずに乾燥効率は低下するものの循環ファン１９による浴室３内への空気の吹出しが継続するため、浴室や洗濯物などの乾燥を促すことができる。
【００４５】
また、乾燥運転時には常時換気モード運転時よりも換気ファンの回転数を上げて排気風量を増加させるように制御されており、この乾燥運転時における循環ファン１９又はヒータ２９への通電を停止した暫定乾燥運転時には、換気ファン１７の回転数を下げずに暫定乾燥運転を継続し、設定された乾燥運転時間が経過するか、又は、使用者による乾燥運転の停止が指示された乾燥運転終了後に換気ファン１７の回転数を下げて常時換気モード運転を実行することで、常時換気モード運転時には、換気ファン１７の回転数を下げて静かな状態で建築物に要求される換気機能に応えることが可能であり、暫定乾燥運転時では循環ファン１９による空気吹出しやヒータ２９による加熱が無くなるため乾燥性能としては正常時よりも低下するものの、換気ファン１７の回転数は下げずに浴室３内からの排気が継続されることにより、浴室３内や浴室３内に吊り下げられた洗濯物などの乾燥を促すことが可能である。
【００４６】
また、常時換気モード運転においては、循環ファン１９やヒータ２９の異常発生に関わらずに実行でき、トイレ７からの換気操作を受け付けると換気ファン１７の回転数を上昇させて排気空気量を増やしてトイレ７の換気を促進することができる。
【００４７】
また、循環ファン１９やヒータ２９の異常発生は不揮発性メモリ３５に記憶しておき、暫定乾燥運転の継続時には警告表示を実行すると共に、この暫定乾燥運転が終了して常時換気モード運転を実行する際には警告表示を停止するため、常時換気モード運転時にユーザーに不安を与えることが防止できる。そして、その後に乾燥運転の開始指示があると警告表示を実行するため、ユーザーは正常な乾燥運転ができないことを認識できて修理などの必要な措置を忘れずに行うことができる。
【００４８】
なお、この警告表示を行うときに、上記の実施形態では暫定乾燥運転を行う制御フローとなっているが（図４のＳ１１８，Ｓ１１９）、通常の乾燥が行えないのであれば、暫定乾燥運転を開始せず、常時換気モード運転のままで浴室乾燥機１の運転を継続してもよい。
また、循環ファン１９やヒータ２９の異常発生を不揮発性メモリ３５に記憶しておくことに代えて、異常発生を揮発性のメモリに記憶するようにしてもよい。不揮発性メモリ３５に記憶させることで、浴室乾燥機１への電源がＯＦＦ後に再ＯＮされる電源リセットされた場合でも制御部３１が異常発生の記憶を保持でき、電源リセット後でもエラー表示を継続できるが、一方で揮発性メモリに記憶しておいた場合は、電源リセットによって異常発生の記憶が消去されるため、使用者またはメンテナンス業者が電源リセットを行うことによって異常記憶をリセットすることができる。
【００４９】
以上、本発明の浴室乾燥機１の実施形態として、乾燥運転における常時換気モード運転との動作関係について説明してきたが、暖房運転時や、涼風運転時においても図５や図６に示す換気系異常判定および循環系異常判定処理を実行し、その判定結果に基づいて換気ファン１７や循環ファン１９の動作制御をしてもよい。なお、涼風運転時にはヒータ２９の動作は行われず、また、暖房運転時にはヒータ２９の動作は必須であるため、図６の循環系異常判定においては、循環ファン１９とヒータ２９との異常時のフラグを別にする必要はなく、いずれの異常であっても循環ファン１９とヒータ２９の駆動を停止するようにすることが好ましい。
【符号の説明】
【００５０】
１・・・浴室乾燥機（多室換気機能付き浴室乾燥機）
３・・・浴室
５・・・排気ダクト
７・・・トイレ
９・・・吸気ダクト
１１・・・洗面所
１３・・・操作部
１３ａ・・・表示部
１５・・・吸気口
１７・・・換気ファン
１７ａ・・・換気ファンモータ
１７ｂ・・・換気インペラ
１７ｃ・・・換気ファン回転数センサ
１９・・・循環ファン
１９ａ・・・循環ファンモータ
１９ｂ・・・循環インペラ
１９ｃ・・・循環ファン回転数センサ
２１・・・吹出口
２３・・・排気風路
２５・・・ダンパー
２７・・・循環風路
２９・・・ヒータ
２９ａ・・・ヒータリレー
３１・・・制御部
３３・・・サーミスタ
３５・・・不揮発性メモリ（ＥＥＰＲＯＭ）
【図１】
2016174744.tif 000003
【図２】
2016174744.tif 000004
【図３】
2016174744.tif 000005
【図４】
2016174744.tif 000006
【図５】
2016174744.tif 000007
【図６】
2016174744.tif 000008
【図７】
2016174744.tif 000009